(57)【要約】  皮膚創傷を治療するための創傷治療装置は、上面及び下面を有するストリップ（１００）を含む。ストリップ（１００）は、中心部分（１１０）が１対の端部分（１１２ａ及び１１２ｂ）に重複するように、実質的に創傷の上に広がるように適応された中心部分（１１０）、並びに１対のそれぞれの対向する中間部分（１１４ａ及び１１４ｂ）を介して中心部分（１１０）に接続された１対の対向する端部分（１１２ａ及び１１２ｂ）を含む。装置は、端部分（１１２ａ及び１１２ｂ）でストリップ（１００）の下面に配置された接着剤をさらに含み、端部分（１１２ａ及び１１２ｂ）が創傷の回りの皮膚に接着されるようにする。ストリップ（１００）は、１対の端部分（１１２ａ及び１１２ｂ）の間に隙間（１１８）がある自立した使用前構成から、１対の端部分（１１２ａ及び１１２ｂ）の間の隙間（１１８）が削減される使用中構成へ、上面に垂直且つ下面に向かう方向で中心部分（１１０）で上面に対する力の印加を受けて変形可能である。ストリップ（１００）は、中心部分を使用中構成での端部分（１１２ａ及び１１２ｂ）に対して固定するための手段をさらに含む。【選択図】図１
2018537161.tif 000002
【特許請求の範囲】
【請求項１】
皮膚創傷を治療するための創傷治療装置であって、前記装置は、
上面及び下面を有するストリップであって、
前記創傷上に実質的に広がるように適応される中心部分と、
前記中心部分が１対の端部分と重複するように１対のそれぞれの対向する中間部分を介して前記中心部分に接続される前記１対の対向する端部分と、
前記端部分が前記創傷の回りの皮膚に接着されるようにする、前記端部分で前記ストリップの前記下面に配置される接着剤と
を備えるストリップ
を備え、
前記ストリップが、前記１対の端部分の間に隙間がある自立した使用前構成から、前記１対の端部分の間の前記隙間が削減される使用中構成へと、前記上面に垂直且つ前記下面に向かう方向で前記中心部分での前記上面に対する力の印加の下で、変形可能であり、
さらに前記ストリップが、前記使用中構成にある前記端部分に対して前記中心部分を固定するための手段をさらに備える、
創傷治療装置。
【請求項２】
前記ストリップが、一体的に形成される、請求項１に記載の創傷治療装置。
【請求項３】
前記中間部分のそれぞれが、前記中心部分と鋭角の曲げを形成する、請求項１又は２に記載の創傷治療装置。
【請求項４】
前記中間部分のそれぞれが、前記それぞれの端部分と鋭角の曲げを形成する、前記請求項のいずれか１項に記載の創傷治療装置。
【請求項５】
前記端部分に対して前記中心部分を固定するための前記手段が、前記中心部分で前記ストリップの前記下面に配置される接着剤を備える、前記請求項のいずれか１項に記載の創傷治療装置。
【請求項６】
前記端部分に対して前記中心部分を固定するための前記手段が、前記中間部分で前記ストリップの前記下面に配置される接着剤を備える、前記請求項のいずれか１項に記載の創傷治療装置。
【請求項７】
前記端部分に対して前記中心部分を固定するための前記手段が、前記中間部分で前記ストリップの前記上面に配置される接着剤を備える、前記請求項のいずれか１項に記載の創傷治療装置。
【請求項８】
前記接着剤が、少なくとも実質的に前記ストリップの前記下面全体に広がり、それによって前記中心部分を固定するための前記手段を形成する、前記請求項のいずれか１項に記載の創傷治療装置。
【請求項９】
前記接着剤に取り付けられる裏当てをさらに備える、前記請求項のいずれか１項に記載の創傷治療装置。
【請求項１０】
前記裏当てが、把持タブを含む、請求項９に記載の創傷治療装置。
【請求項１１】
前記把持タブが、前記ストリップの前記下面の隣接した領域に概して横に広がる、請求項１０に記載の創傷治療装置。
【請求項１２】
前記中心部分に対して前記端部分を固定するための前記手段が、前記端部分のそれぞれに配置される係止要素を備え、各係止要素が、前記ストリップが前記使用中構成にあるときに前記それぞれの中間部分で対応する開口と係合するように適応される、前記請求項のいずれか１項に記載の創傷治療装置。
【請求項１３】
前記ストリップが、前記中心部分の対向する端部から伸長する１対の対向するタブを含み、前記タブがその下面に配置される接着剤をそれぞれ含みかつ前記ストリップが前記使用中構成にあるときに前記創傷の回りの前記皮膚に接着するように適応される、前記請求項のいずれか１項に記載の創傷治療装置。
【請求項１４】
皮膚創傷を治療する方法であって、
中心部分が前記創傷の上に実質的に広がるように、前記創傷の上に使用前構成にある前記ストリップの中心部分を位置決めすることと、
端部分の間に隙間があるように、前記創傷の対向する側の皮膚に前記ストリップの１対の対向する前記端部分を接着することと、
前記創傷に向かう方向で前記中心部分に力を印加することであって、前記力が前記ストリップを、前記端部分の間の前記隙間が削減される使用中構成へと変形し、それによって前記創傷の対向する側の前記皮膚を互いに向かって引き寄せる、印加することと、
前記使用中構成にある前記端部分に対して前記中心部分を固定することと
を含む、方法。
【発明の詳細な説明】
【技術分野】
【０００１】
本発明は皮膚創傷に関し、特に皮膚創傷を治療するための創傷治療装置及び皮膚創傷を治療するための方法に関する。本発明は、より詳細には開放皮膚創を閉じるための治療及び装置に関するが、これに制限されない。
【背景技術】
【０００２】
創傷閉鎖ストリップが知られている。創傷閉鎖ストリップは、皮膚創傷の治癒を支援するために設計された保護包帯の１つの形である。例えばステリストリップ等の既知の創傷閉鎖ストリップは、創傷にまたがって接着される粘着包帯の通常は平らで矩形のストリップである。ストリップは、外部環境からの創傷の保護を提供すると同時に、創傷を適所に保持する。
【発明の概要】
【発明が解決しようとする課題】
【０００３】
既知の創傷閉鎖ストリップは、通常、ユーザがストリップを貼用するために両手を使用することを必要とする。一方の手は、最初に創傷の対向する側の皮膚を互いにより近くに引き寄せ皮膚を適所に保持するために必要とされる。他方の手は次いで、創傷にまたがってストリップを伸ばし接着させるために必要とされる。これは多くの場合、例えば大きい深傷又は裂傷を治療するために、複数のストリップが必要とされるとき、多大な時間を要する面倒な過程である。既知の粘着包帯の貼用はまた、包帯がそれ自体に接着し使用不可能になるリスクを回避するために両手の使用を通常必要とする。
【０００４】
上記の不利な点の１つ以上を実質的に克服する又は少なくとも改善することが、本発明の目的である。
【課題を解決するための手段】
【０００５】
したがって、本発明の一態様は、皮膚創傷を治療するための創傷治療装置を提供し、装置は、
上面及び下面を有するストリップであって、
創傷上に実質的に広がるように適応された中心部分と、
中心部分が１対の端部分と重複するように、１対のそれぞれの対向する中間部分を介して中心部分に接続された１対の対向する端部分と、
端部分でストリップの下面に配置され、端部分を創傷の回りの皮膚に接着できるようにする接着剤と
を含むストリップ
を含み、
ストリップは、１対の端部分の間に隙間がある自立した使用前構成から１対の端部分の間の隙間が削減される使用中構成へ、上面に垂直且つ下面に向かう方向で中心部分にて上面に対する力の印加を受けて変形可能であり、
さらにストリップは、中心部分を前記使用中構成にある端部分に対して固定するための手段をさらに含む。
【０００６】
好ましい形では、ストリップは一体的に形成される。
【０００７】
好ましい形では、中間部分のそれぞれは、中心部分と鋭角の曲げを形成する。
【０００８】
好ましい形では、中間部分のそれぞれは、それぞれの端部分と鋭角の曲げを形成する。
【０００９】
中心部分を端部分に対して固定する手段は、中心部分でストリップの下面に配置される接着剤を含んでよい。
【００１０】
代わりに又はさらに、中心部分を端部分に対して固定する手段は、中間部分でストリップの下面に配置される接着剤を含む。
【００１１】
代わりに又はさらに、中心部分を端部分に対して固定するための手段は、中間部分でストリップの上面に配置される接着剤を含む。
【００１２】
好ましい形では、接着剤は少なくとも実質的にストリップの下面全体に広がり、それによって中心部分を固定するための手段を形成する。
【００１３】
好ましい形では、創傷治療装置は、接着剤に取り付けられた裏当てをさらに含む。
【００１４】
好ましい形では、裏当ては把持タブを含む。
【００１５】
好ましい形では、把持タブは概してストリップの下面の隣接した領域に横に広がる。
【００１６】
端部分を中心部分に対して固定するための手段は、端部分のそれぞれに配置される係止要素を代わりに含んでよく、各係止要素は、ストリップが使用中構成にあるときにそれぞれの中間部分の対応する開口と係合するように適応される。
【００１７】
ストリップは、中心部分の対向する端部から伸長する１対の対向するタブを含んでよく、タブはそれぞれその下面に配置される接着剤を含み、ストリップが使用中構成にあるときに創傷の回りの皮膚に接着するように適応される。
【００１８】
本発明の別の態様は、皮膚創傷を治療する方法を提供し、方法は、
中心部分が実質的に創傷の上に広がるように、創傷の上に使用前構成のストリップの中心部分を位置決めすることと、
端部分の間に隙間があるように、創傷の対向する側の皮膚にストリップの１対の対向する端部分を接着することと、
創傷に向かう方向で中心部分に力を印加することであって、力がストリップを、端部分の間の隙間が削減される使用中構成へと変形し、それによって創傷の対向する側の皮膚を互いに向かって引き寄せる、印加することと、
中心部分を使用中構成の端部分に対して固定することと
を含む。
【００１９】
本発明の好ましい実施形態は、ここで添付図面を参照してほんの一例として説明される。
【図面の簡単な説明】
【００２０】
【図１】使用前構成にある、創傷治療装置の第１の実施形態の正面斜視図である。
【図２】図１に示される創傷治療装置の正面図である。
【図３】使用中構成にある、図１に示される創傷治療装置の正面斜視図である。
【図４】使用中構成にある、図１に示される創傷治療装置の正面図である。
【図５】使用前構成にあり貼用の初期段階の間の、図１に示される創傷治療装置の正面斜視図である。
【図６】使用前構成にあり貼用の中間段階の間の、図１に示される創傷治療装置の正面斜視図である。
【図７】使用前構成にあり貼用の最終段階の間の、図１に示される創傷治療装置の正面斜視図である。
【図８】使用中構成にある、図１に示される創傷治療装置の正面斜視図である。
【図９】創傷治療装置の第２の実施形態の斜視図である。
【図１０】創傷治療装置の第３の実施形態の斜視図である。
【図１１】創傷治療装置の第４の実施形態の斜視図である。
【図１２】端部分における下面、及び中心部分における下面だけに配置された接着剤を示す、図１に示される創傷治療装置の正面図である。
【図１３】端部分における下面、及び中間部分における下面だけに配置された接着剤を示す、図１に示される創傷治療装置の正面図である。
【図１４】端部分における下面、及び中間部分における上面だけに配置された接着剤を示す、図１に示される創傷治療装置の正面図である。
【図１５】追加の接着剤カバーを示す、図１に示される創傷治療装置の斜視図である。
【図１６】中心部分に形成された複数のひだを示す、図１に示される創傷治療装置の正面斜視図である。
【図１７】把持タブを有する裏当てを示す、図１に示される創傷治療装置の正面図である。
【発明を実施するための形態】
【００２１】
図１及び図２は、皮膚創傷を治療するための創傷治療装置の第１の実施形態を示す。以下にさらに詳細に説明されるように、創傷治療装置はおもに開放皮膚創傷を閉じるためであるが、この特定の用途に制限されず、閉じられた皮膚創傷を治療するために使用されてもよい。創傷治療装置は、装置の本体を形成するストリップ１００を含む。ストリップ１００は、材料の単一ストリップの形をとる。適切な材料は、織布、プラスチック（例えば、ＰＶＣ、ポリエチレン又はポリウレタン）、ラテックス、弾性材料及び細孔性材料を含む。ストリップ１００は上面及び下面を有し、傷の上に広がるように適応される中心部分１１０を含む。ストリップ１００は、１対の対向する端部分１１２ａ及び１１２ｂをさらに含む。端部分１１２ａ及び１１２ｂのそれぞれは、１対のそれぞれの対向する中間部分１１４ａ、１１４ｂによって中心部分１１０に接続される。
【００２２】
図２に最もよく示されるように、装置は、端部分１１２ａ及び１１２ｂにおけるストリップ１００の下面に配置される接着剤１１６をさらに含む。接着剤１１６は、端部分１１２ａ及び１１２ｂが創傷の回りの皮膚に接着されるようにする。図２に示される実施形態では、接着剤１１６はストリップ１００の下面全体にわたって広がる。接着剤１１６は、アクリレート（例えば、メタクリル酸塩又はエポキシジアクリレート）等の低刺激性の感圧接着剤から形成されてよい。装置は、ストリップ１００の下面を横切って接着剤１１６に取り付けられる裏当て１１７をさらに含む。裏当て１１７は、コート紙又は被覆プラスチックから形成されてよい。裏当て１１７は２つの別々の部分を含んでよい。ストリップ１００は、１対の端部分１１２ａと１１２ｂとの間に隙間１１８がある、使用前構成にある。中間部分１１４ａ及び１１４ｂはそれぞれ、中心部分１１０と鋭角の曲げを形成する。同様に、中間部分１１４ａ及び１１４ｂはそれぞれ、それぞれの端部分１１２ａ及び１１２ｂと鋭角の曲げを形成する。この構成では、ストリップ１００は自立しており、ストリップ１００が貼用の前に自立形にあるときにそれ自体の上につぶれないように十分な剛性を有する。
【００２３】
図３及び図４は、使用中構成にあるストリップ１００を示す。この構成では、端部分１１２ａと１１２ｂとの間の隙間１１６が削減される。中間部分１１４ａ及び１１４ｂと、中心部分１１０との間の曲げの鋭角も削減される。同様に、中間部分１１４ａ及び１１４ｂと、それぞれの端部分１１２ａ及び１１２ｂとの間の曲げの鋭角も削減される。中心部分１１０はまた端部分１１２ａ及び１１２ｂに対して固定され、ここで中心部分１１０、中間部分１１４ａ及び１１４ｂ、並びに端部分１１２ａ及び１１２ｂはすべて互いに対して平坦になる。ストリップ１００の下面全体を横切って広がる接着剤１１６は、端部分１１２ａ及び１１２ｂが創傷の回りの皮膚に接着されるようにし、以下に説明されるように、中心部分１１０を端部分１１２ａ及び１１２ｂに対して固定するための手段をさらに形成する。中間部分１１４ａ及び１１４ｂのそれぞれは、中心部分１１０の長さの半分にわずかに満たない長さを有し、これにより端部１１２ａ及び１１２ｂは、ストリップ１００が使用中構成にあるとき互いに重複しない。
【００２４】
創傷治療装置の貼用は、ここで図５〜図８を参照して説明される。端部分１１２ｂは創傷の一方の側の皮膚に接着され、他方の端部分１１２ａは傷の対向する側に接着され、それによって端部分１１２ａと１１２ｂとの間に隙間１１８を作り出す。過程において、ストリップ１００の中心部分１１０は、中心部分１１０が実質的に創傷の上に広がるように創傷の上に位置決めされる。創傷の対向する側の皮膚に対する端部分１１２ａ及び１１２ｂの接着は、連続して又は同時に行われてよい。
【００２５】
力が次いで創傷に向かう方向で中心部分１１０に印加され、ストリップ１００を、端部分１１２ａ及び１１２ｂと、中間部分１１４ａ及び１１４と、中心部分１１０との間の曲げのそれぞれで変形させる。中間部分１１４ａ及び１１４ｂはそのそれぞれの曲げを中心として枢動し、結果として生じる力が端部分１１２ａ及び１１２ｂを互いに向かって引き寄せ、それによって隙間１１８を削減しストリップ１００を平らにする。創傷治療装置が開放創傷を閉じるように構成されるとき、中間部分１１４ａ及び１１４ｂのそれぞれは、中心部分１１０の長さの半分にわずかに満たない長さを通常有するであろう。これは、端部分１１２ａ及び１１２ｂが接触するまで端部分１１２ａ及び１１２ｂを互いに向かって引き寄せ、それによって隙間１１８を閉じ、同時に創傷の対向する側の皮膚を互いに向かって引き寄せることを可能にする。代わりに、創傷治療装置が閉じられた創傷を治療する又は保護するように構成されるとき、中間部分１１４ａ及び１１４ｂのそれぞれの長さは、創傷の対向する側の皮膚が互いに向かってまだ引き寄せられるが、隙間１１８が完全に閉じないようなより小さい程度に引き寄せられるように通常削減される。中心部分１１０は次いで、ストリップ１００が使用中構成で保持されるように、接着剤１１６を介して端部分１１２ａ及び１１２ｂに対して固定される。図４に示される実施形態では、中心部分１１０での下面上の接着剤１１６は、中心部分１０を固定するために中間部分１１４ａ及び１１４ｂの下面上の接着剤１１６に固着する。有利なことに、装置の構造は、端部分１１２ａ及び１１２ｂのそれぞれが個別に（つまり、一度に１つ）接着されるようにし、これによりストリップ１００は、片手のみを使用して貼用され、変形され固定され得る。これは皮膚創傷を治療するための迅速且つ相対的に簡略な方法を提供する。
【００２６】
図９は、本実施形態においてストリップ１００’の端部分１１２ａ及び１１２ｂのそれぞれがより大きい面を有することを除き、上述された創傷治療装置の第１の実施形態に概して同一である創傷治療装置の第２の実施形態を示す。これは同様に、端部分１１２ａ及び１１２ｂでの下面に配置される接着剤１１６の表面積を増加させ、このようにして創傷の回りの皮膚へのより優れた接着を可能にする。
【００２７】
図１０は、上述された創傷治療装置の第１の実施形態に概して同一である創傷治療装置の第３の実施形態を示す。しかしながら、本実施形態のストリップ１００”の端部分１１２ａは第１の係止要素１２０ａを含み、中間部分１１４ａは第１の係止要素１２０ａの形状に一致する第１の開口１２１ａを含む。同様に、ストリップ１００”の端部分１１４ｂは第２の係止要素１２０ｂを含み、中間部分１１４ｂは、第２の係止要素１２０ｂの形状に一致する開口部１２１ｂを含む。開口１２１ａ及び１２１ｂはそれぞれ、スナップ嵌めでその中にそれぞれの係止要素１２０ａ及び１２０ｂを受け入れるように適応される。ストリップ１００”が使用前構成から使用中構成に変形されるとき、係止要素１２０ａ及び１２０ｂはそれぞれ、そのそれぞれの開口１２１ａ及び１２１ｂと係合し、中心部分１１０でストリップ１００”の下面に接着する。したがって、係止プラグ１２０ａ及び１２０ｂは、端部分１１２ａ及び１１２ｂが使用中構成の中心部分１１０に固定されるようにする。これは、使用中構成にある間、ストリップ１００の形状がより良く維持されるようにする。
【００２８】
図１１は、ここでも上述された創傷治療装置の第１の実施形態と概して同一である、創傷治療装置の第４の実施形態を示す。しかしながら、本実施形態のストリップ１００””は、中心部分１１０の対向する端部から伸長する１対の対向するタブ１２２ａ及び１２２ｂを含む。タブ１２２ａ及び１２２ｂは、それぞれ中間部分１１４ａ及び１１４ｂから切り出される。タブ１２２ａ及び１２２ｂはまた、、それらの下面に配置される接着剤も含む。ストリップ１００””が使用前構成から使用中構成に変形されるとき、タブ１２２ａ及び１２２ｂはそれぞれ対向する側の下にある皮膚に接触し接着され、それによって創傷の対向する側の皮膚に対するストリップ１００””の接着を強化し、使用中構成にある間、ストリップ１００””の形状がより良く維持されるようにする。
【００２９】
当業者は、説明される創傷治療装置に対するさまざまな他の考えられる変更形態及び追加を理解するであろう。代替手段は中心部分１１０を端部分１１２ａ及び１１２ｂに対して固定するために使用され得ることが予想される。手段が接着剤１１６であるとき、図１２に示されるように、接着剤１１６は、中心部分１１０を中間部分１１４ａ及び１１４ｂに接着するために中心部分１１０における下面に配置されてよいことが予想される。代わりに又はさらに、図１３に示されるように、接着剤１１６は、中間部分１１４ａ及び１１４ｂを中心部分１１０に接着するように中間部分１１４ａ及び１１４ｂで下面に配置されてよい。代わりに又はさらに、図１４に示されるように、接着剤は、中間部分１１４ａ及び１１４ｂを端部分１１２ａ及び１１２ｂに接着するために中間部分１１４ａ及び１１４ｂで上面に配置されてよい。
【００３０】
創傷治療装置が、中心部分１１０でストリップ１１０の上面に接着される、又は上面と一体的に形成される接着剤カバー１２３（図１５に示されるように）を含んでよいことも予想される。接着剤カバー１２３は中心部分１１０より幅広く、中心部分１１０でストリップ１００の上面を効果的に広げる。ストリップ１００が使用前構成から使用中構成に変形されるとき、接着剤カバー１２３はストリップ１００の幅を横切って下にある皮膚と接触し、接着される。これは、創傷にまたがるストリップ１００の皮膚に対する接着を強化し、ストリップ１００の形状が使用中構成にある間より良く維持されるようにもする。
【００３１】
装置はまた、変形され使用中構成にある間に剛性を高めるためかつストリップ１００の形状を維持するのを支援するために、ストリップ１００に埋め込まれる金属ストリップを含んでもよい。金属ストリップは、曲げで塑性的に変形されるだろう。ストリップ１００は、剛性を改善するために波型の又は畝のある横断方向の断面を有してもよい。ストリップ１００は、強度及び剛性を改善するためにポリエステルフィラメントを含んでもよい。ストリップ１００は、３〜２４ｍｍ（幅）及び３７〜１２５ｍｍ（長さ）に及ぶ幅及び長さの寸法を有してよい。剛性を改善するためにストリップ１００の厚さも変えられてよいことが予想される。例えば、中心部分１１０は、中間部分１１４ａ及び１１４ｂ並びに端部分１１２ａ及び１１２ｂよりも厚くてよい。これが、ストリップ１００が変形されている間、中心部分１１０の形状がより良く維持されるようにする。中心部分１１０の増加した厚さはまた、物理的な接触によるさらなる損傷に対する創傷の追加の保護を提供してもよい。ストリップ１００は、閉鎖包帯を提供するように水密又は気密であってよい。ストリップ１００は、ユーザが貼用の間にストリップ１００を通して創傷の位置を見ることができるようにすることによって創傷上での装置の位置決め及び位置合わせを支援するために、半透明又は透明な材料から形成されてもよい。
【００３２】
装置は、図１３及び図１４に示されるように、特に接着剤が中間部分１１４ａ及び１１４ｂで下面及び／又は上面だけに配置される実施形態では、中心部分１１０でストリップ１００の下面に配置される吸収性パッドを代わりに含んでもよい。吸収性パッドは、吸収性パッドが隙間１１８のすぐ上にある中心部分１１０の小さい中央の部分だけを覆うような大きさにされてよい。これらの実施形態では、ストリップ１００は、ストリップ１００が使用中構成であるときに吸収性パッドが創傷に接触できるようにするために、端部分１１２ａと１１２ｂとの間の隙間１１８がより大きいような寸法にされてよい。隙間１１８は２０ｍｍ以上の長さ及び／又は幅の寸法を有してよく、吸収性パッドは小さい皮膚創傷の上で完全な被覆を可能にするために類似した寸法を有することが予想される。この配置では、中間部分１１４ａ及び１１４ｂの長さは、ストリップ１００が使用前構成から使用中構成に変形されるときに、端部分１１２ａ及び１１２ｂ（及び下にある皮膚）が互いに引き寄せられる範囲も減少するように削減される（例えば、約１０ｍｍに）。これは隙間１１８の大きさに小規模な縮小のみをもたらし、ストリップ１００が、標準的な粘着包帯の代わりに、閉鎖を必要としない皮膚創傷に貼用されるようにする。吸収性パッドは、パッドが創傷に固着するのを妨ぐために、好ましくは薄い多孔質ポリマーコーティングを有する、木綿から形成されてよい。吸収性パッドは、消毒液を浸透されてよい。吸収性パッドは水分吸収ゲルから代わりに形成されてよい。
【００３３】
ストリップ１００が相対的に堅いとき、図１６に示されるように、１つ以上のひだＡ、Ｂ及び／又はＣが中心部分１１０に形成されてよいことがさらに予想される。ひだＡ、Ｂ及び／又はＣはストリップ１００の柔軟性を高め、これにより装置は、装置が貼用されている表面の形状輪郭により容易に適合し得る。ひだＡ、Ｂ及び／又はＣはそれぞれ効果的にヒンジを形成する。他の形のヒンジが、ひだＡ、Ｂ及び／又はＣの代替として活用されてもよいことが予想される。
【００３４】
裏当て１１７は、図１７に示されるように、中心部分１１０で下面から離れて伸長する把持タブ１１９を有してよい。裏当て１１７は、中央でそれ自体の上に折り畳まれてよい、又は把持タブ１１９を作り出すために二部の形で提供されてよい。把持タブ１１９は、ユーザが、１つの動きで把持タブ１１９を単につまんで、裏当て１１７全体を接着剤１１６から引き離すことを可能にすることによって裏当て１１７の迅速且つ容易な取外しを助長する。裏当て１１７及び把持タブ１１９は、上述された装置の実施形態のいずれか１つに適用されてよい。裏当て１１７が図１１に示される第４の実施形態に適用されるとき、裏当て１１７はタブ１２２ａ及び１２２ｂの下面を横切って広がってもよいことが予想される。
【図１】
2018537161.tif 000003
【図２】
2018537161.tif 000004
【図３】
2018537161.tif 000005
【図４】
2018537161.tif 000006
【図５】
2018537161.tif 000007
【図６】
2018537161.tif 000008
【図７】
2018537161.tif 000009
【図８】
2018537161.tif 000010
【図９】
2018537161.tif 000011
【図１０】
2018537161.tif 000012
【図１１】
2018537161.tif 000013
【図１２】
2018537161.tif 000014
【図１３】
2018537161.tif 000015
【図１４】
2018537161.tif 000016
【図１５】
2018537161.tif 000017
【図１６】
2018537161.tif 000018
【図１７】
2018537161.tif 000019
【国際調査報告】
2018537161.tif 000020
2018537161.tif 000021
2018537161.tif 000022
2018537161.tif 000023